(57)【要約】【課題】  水を使うことなく吸殻の消火処理を行い、汚染された水を排出することがないようにした吸殻消火装置を提供する。【解決手段】  筐体２６の内側に複数枚の固定裁断翼２４を所定の角間隔で複数段にわたって取り付ける。筐体２６の中心の回転軸２３に複数枚の回転裁断翼２５を所定の角間隔で複数段にわたって取り付ける。回転軸２３が回転すると、吸殻投入口２１から投入された吸殻８は、固定裁断翼２４と回転裁断翼２５との間で剪断力を受けて、細かく裁断され、これにより、消火される。【選択図】        図６
2008132158.tif 000002
【特許請求の範囲】
【請求項１】
柱状の筐体と、
前記柱状の筐体の内側に所定の角間隔で取り付けられた複数段・複数枚の固定裁断翼と、
前記筐体の中心の回転軸に、前記固定裁断翼と交互に、所定の角間隔で取り付けられた複数段・複数枚の回転裁断翼とを備え、
前記回転軸を回転させて前記固定裁断翼と前記回転裁断翼間で吸殻を細かく裁断して吸殻の消火を行うことを特徴とする吸殻消火装置。
【請求項２】
前記固定裁断翼及び前記回転裁断翼の側縁に複数の凹凸を形成したことを特徴とする請求項１に記載の吸殻消火装置。
【請求項３】
前記回転裁断翼の外端下方に回転リングを設けると共に、前記筐体内側の回転リング下方に、裁断された吸殻の裁断片を受ける裁断片受リブを設けたことを特徴とする請求項１に記載の吸殻消火装置。
【発明の詳細な説明】
【技術分野】
【０００１】
本発明は、パチンコ台の灰皿の吸殻の消火処理に用いられる好適な吸殻消火装置に関する。
【背景技術】
【０００２】
パチンコの遊技者は、喫煙をしながらパチンコ台の操作を行うことが多く、各パチンコ台には、灰皿が設けられている。パチンコ店の店員は、灰皿に吸殻が溜まる毎に、灰皿の清掃を行っているが、このような灰皿の清掃作業は、手間がかかり、煩わしい。そこで、例えば特許文献１に示されるように、複数のパチンコ台の灰皿の吸殻をベルトで搬送して、回収箱に回収するような吸殻回収装置が提案されている。
【０００３】
図１５は、かかる従来の吸殻回収装置の一例を示すものである。図１５において、遊技施設１０１には、複数のパチンコ台１０２が並設される。各パチンコ台１０２は、パチンコ球を操作して遊技を行うハンドル１０４と、パチンコ台１０２から排出された球を一時的にストックするトレイ１０３とを有している。また、各パチンコ台１０２には、遊技者が喫煙した煙草を処理するための灰皿１０５が設けられる。
【０００４】
並設された複数のパチンコ台１０２の灰皿１０５の下には、灰皿１０５から落下した吸殻１０８を搬送するための搬送ベルト１０７が配置される。搬送ベルト１０７は、難燃性の部材から形成されており、図示しないモータにより駆動される。各パチンコ台１０２の灰皿１０５の処理を行う場合には、各灰皿１０５の吸殻１０８を搬送ベルト１０７に落下させる。搬送ベルト１０７上に落下さした吸殻１０８は、搬送ベルト１０７の一端１０７ａまで搬送される。
【０００５】
搬送ベルト１０７の一端１０７ａの位置には、回収箱１４０が配置されている。回収箱１４０には、水１４１が入れてある。搬送ベルト１０７の一端１０７ａまで搬送された吸殻１０８は、水１４１を入れた回収箱１４０に落下して消火回収される。
【０００６】
一方、空港、駅、企業や公共の場所等の吸殻回収装置、および喫煙ルーム等に設けられた吸殻回収装置おいても、現在では水を入れた吸殻回収装置が設置してある程度である。
【特許文献１】特開２００５−１３０７１４号公報
【発明の開示】
【発明が解決しようとする課題】
【０００７】
上述のように、従来の吸殻回収装置では、搬送ベルト１０７により搬送された吸殻１０８を、水１４１を入れた回収箱１４０に落下させることで、火がついている吸殻１０８でも、確実に消火回収できるようにしている。
【０００８】
ところが、水１４１を入れた回収箱１４０に吸殻１０８を入れると、回収箱１４０に溜まった吸殻を処分する際に、吸殻１０８と水１４１とを分けて処理することが必要になる。また、回収箱１４０の水１４１には、ニコチンやタールが溶け出し、汚染された水となる。このように汚染された水が直接下水に流されると、河川が汚れ、又浄化槽の微生物が死滅するおそれがあり、環境を悪化させるという問題がある。また、ニコチンやタールで汚染された水は、悪臭を発生するという問題がある。
【０００９】
本発明は、上述の課題を鑑み、水を使うことなく吸殻の消火処理が行え、ニコチンやタールにより汚染された水を排出することがないようにした吸殻消火装置を提供することを目的とする。本発明は、空港、駅、企業や公共の場所等の喫煙ルーム等においても使用可能である。
【課題を解決するための手段】
【００１０】
上述の課題を解決するために、本発明は、柱状の筐体と、柱状の筐体の内側に所定の角間隔で取り付けられた複数段・複数枚の固定裁断翼と、筐体の中心の回転軸に、固定裁断翼と交互に、所定の角間隔で取り付けられた複数段・複数枚の回転裁断翼とを備え、回転軸を回転させて固定裁断翼と回転裁断翼間で吸殻を細かく裁断し火種を細かくすることによって、吸殻の消火を行うことを特徴とする。
【００１１】
好ましくは、固定裁断翼及び回転裁断翼の側縁に複数の凹凸を形成したことを特徴とする。
【００１２】
好ましくは、回転裁断翼の外端下方に回転リングを設けると共に、筐体内側の回転リング下方に、裁断された吸殻の裁断片を受ける裁断片受リブを設けたことを特徴とする。
【発明の効果】
【００１３】
本発明によれば、柱状の筐体の内側に所定の角間隔で取り付けられた複数段・複数枚の固定裁断翼と、筐体の中心の回転軸に、固定裁断翼と交互に、所定の角間隔で取り付けられた複数段・複数枚の回転裁断翼とを備え、回転軸を回転させて固定裁断翼と回転裁断翼間で吸殻を細かく裁断して吸殻の消火を行うようにしているので、水を使うことなく、吸殻の消火処理が行え、ニコチンやタールにより汚染された水を排出することがなく、また、水に溶けたニコチンやタールによる悪臭も防ぐことができる。
【００１４】
また、本発明によれば、固定裁断翼及び回転裁断翼の側縁に複数の凹凸を形成するようにしているので、特に、紙巻き煙草の紙や、フィルタ等を確実に裁断できる。
【００１５】
また、本発明によれば、回転裁断翼の外端下方に回転リングを設けると共に、筐体内側の回転リング下方に吸殻の裁断片を受ける裁断片受リブを設けるようにしているので、裁断片を回転リングおよび裁断片受リブで受けて、裁断片の火が消えるための滞留時間を確保してから裁断片を下方に排出でき、消火がより確実になる。
【発明を実施するための最良の形態】
【００１６】
以下、本発明の実施の形態について図面を参照しながら説明する。図１は、本発明の第１実施形態の吸殻消火装置を含む吸殻回収装置の概要を示すものである。図１において、遊技施設１には、複数のパチンコ台２が並設される。各パチンコ台２は、パチンコ球を操作して遊技を行うハンドル４と、パチンコ台２から排出された球を一時的にストックするトレイ３とを有している。また、各パチンコ台２には、遊技者が喫煙した煙草を処理するための灰皿５が設けられる。
【００１７】
並設された複数のパチンコ台２の灰皿５の下には、吸殻８を搬送するための搬送ベルト７が配置される。搬送ベルト７は、難燃性の部材から形成されており、図示しないモータにより駆動される。各パチンコ台２の灰皿５の処理を行う場合には、各灰皿５の吸殻８を搬送ベルト７に落下させる。搬送ベルト７上に落下された吸殻８は、搬送ベルト７の一端７ａまで搬送される。
【００１８】
搬送ベルト７の一端７ａの位置には、吸殻回収部１０が配置されている。吸殻回収部１０は、図２に示すように、回収箱１５と、本発明に係る吸殻消火装置２０と、モータ３０とを有している。
【００１９】
図１において、搬送ベルト７の一端７ａまで搬送された吸殻８は、吸殻回収部１０の位置で落下され、図２に示される吸殻投入口２１から吸殻消火装置２０内に投入される。
【００２０】
図３に示すように、吸殻消火装置２０の回転軸２３には、プーリ１２が取り付けられる。図４に示すように、モータ３０の回転軸３１は、プーリ１４が取り付けられる。図２に示すように、吸殻消火装置２０のプーリ１２と、モータ３０のプーリ１４との間に、ベルト１６が懸架される。
【００２１】
図５及び図６は、吸殻消火装置２０の構成を示す平面図及びその側面断面図である。なお、回転裁断翼２５ａ−１〜２５ｃ−１、２５ａ−２〜２５ｃ−２、２５ａ−３〜２５ｃ−３（以下２５と表示する）はＡ−Ａ線断面で示し、固定裁断翼２４ａ−１〜２４ｃ−１、２４ａ−２〜２４ｃ−２、２４ａ−３〜２４ｃ−３（以下２４と表示する）はＢ−Ｂ線断面で示してある。
【００２２】
図５及び図６において、吸殻消火装置２０は、底面が開口の柱状の筐体２６を有しており、その上面２２には、吸殻投入口２１が設けられる。図１〜図１３においては、筐体２６の平面形状は円柱形状に描いてあるが、図１４に示すよう、筐体２６の平面形状は、四角・六角等の角柱形状でもよい。
【００２３】
筐体２６の内側には、複数枚（例えば３枚）の固定裁断翼２４が所定の角間隔（例えば１２０度）で複数段（例えば３段）にわたって取り付けられる。
【００２４】
筐体２６の中心に、回転軸２３が回転自在に配置される。回転軸２３には、固定裁断翼２４と交互に、複数枚（例えば３枚）の回転裁断翼２５が所定の角間隔（例えば１２０度）で複数段（例えば３段）にわたって取り付けられる。
【００２５】
図７は、本発明の第１実施形態の吸殻消火装置の回転部の詳細斜視図である。ここで、回転部とは、回転軸２３およびその周囲に取り付けられた回転裁断翼の総称をいう。図７において、回転裁断翼２５は回転軸２３の周囲に３等分されて固定される。固定の方法は通常溶接であるが、全体を一体型で構成しても良い。回転裁断翼２５は板状に構成される。その上端および下端に吸殻８を細かく裁断するための歯を設けても良い。
【００２６】
図８は、本発明の第１実施形態の吸殻消火装置の固定部の部分詳細斜視図である。ここで、固定部とは、筐体２６およびそれに取り付けられた固定裁断翼２４の総称をいう。図８において、固定裁断翼２４は筐体２６の周囲に３等分されて固定される。固定裁断翼２４は板状に構成される。その上端および下端に吸殻８を細かく裁断するための歯を設けても良い。
【００２７】
図２に示したように、吸殻消火装置２０のプーリ１２と、モータ３０の回転軸のプーリ１４との間には、ベルト１６が懸架されている。したがって、モータ３０が回転すると、その回転がベルト１６を介して、回転軸２３に伝わる。回転軸２３が回転すると、これに伴って、回転裁断翼２５が回転する。
【００２８】
図６において、ベルト１６上を搬送されてきた吸殻８は、吸殻投入口２１から落下して筐体２６内に投入される。回転軸２３が回転し、回転裁断翼２５が回転すると、吸殻投入口２１から投入された吸殻８は、固定裁断翼２４と、回転裁断翼２５との間で剪断力を受けて、細かく裁断される。
【００２９】
すなわち、吸殻投入口２１から落下した吸殻８は、先ず、固定裁断翼２４ａ−１〜２４ｃ−１と、回転裁断翼２５ａ−１〜２５ｃ−１との間で剪断力を受けて細かく裁断されて落下し、回転裁断翼２５ａ−１〜２５ｃ−１と固定裁断翼２４ａ−２〜２４ｃ−２との間で剪断力を受けて更に細かく裁断されて更に下に落下し、以下、固定裁断翼２４と、回転裁断翼２５との間の剪断力を受けて、落下するに従って、更に細かく裁断されていく。
【００３０】
吸殻投入口２１に投入される吸殻８の中には、火がついたままになっているものもあるが、火がついたままになっている吸殻８が吸殻投入口２１から吸殻消火装置２０内に投入されても、上述のように、吸殻８は細かく裁断されるため、火がついた吸殻８はすぐに燃え尽きて、消火されることになる。
【００３１】
火が消えた裁断片は、回転裁断翼２５が回転することで、筐体２６内を舞った後に、又は、筐体２６内を舞って筐体２６の内部の側面や固定裁断翼２４や回転裁断翼２５に付着した後に、筐体２６の底面３５から落下して回収箱１５に投入される。また、火が消えていない裁断片も、筐体２６内を舞って燃え尽きた後に、又は、筐体２６内を舞って筐体２６の内部の側面や固定裁断翼２４や回転裁断翼２５に付着して燃え尽きた後に、筐体２６の底面３５から落下して回収箱１５に投入される。このように、吸殻消火装置２０では、吸殻８を細かく裁断することにより、火が消えていない吸殻８の消火処理が行われる。
【００３２】
なお、回転軸２３の回転数を調整することにより、筐体２６内で裁断された裁断片の舞い上がり方を調整することができる。本発明の実施形態では、回転軸２３の回転数は、火が消えていない裁断片が十分に燃え尽きて下に落ちるような速さ、具体的には、例えば、４００〜１５００ｒｐｍに設定される。
【００３３】
図１において、吸殻消火装置２０により細かく裁断され消火された吸殻片９は、回収箱１５内に回収される。回収箱１５に溜まった吸殻片９は、水分を含んでいないため、通常の可燃物と同様に処理できる。
【００３４】
以上説明したように、本発明の第１実施形態の吸殻消火装置２０では、水を使うことなく、吸殻８を細かく裁断することにより、吸殻８の消火の処理が行われる。このため、ニコチンやタールにより汚染された水を排出することがなく、また、水に溶けたニコチンやタールによる悪臭も防ぐことができる。
【００３５】
第２実施形態．
図９は、本発明の第２実施形態の吸殻消火装置を示すものである。この実施形態では、固定裁断翼２４及び回転裁断翼２５の側縁に、複数の凹凸２９を設けるようにしている。このように、固定裁断翼２４及び回転裁断翼２５の側縁に複数の凹凸２９を設けると、固定裁断翼２４及び回転裁断翼２５の間の吸殻８が鋸のように裁断されることになり、より確実に、吸殻８を裁断できる。固定裁断翼２４及び回転裁断翼２５の側面に複数の凹凸２９を設けると、特に、紙巻き煙草の紙や、フィルタ等を確実に裁断できる。
【００３６】
第３実施形態．
図１０は、本発明の第３実施形態の吸殻消火装置を示すものである。上述の第１実施形態の吸殻消火装置では、図５に示したように、柱状の筐体２６の内側に、３枚の固定裁断翼２４ａ−１、２４ｂ−１、２４ｃ−１を配設している。これに対して、この第３実施形態の吸殻消火装置では、筐体２６の内側に、５枚の固定裁断翼２４ａ−１、２４ｂ−１、２４ｃ−１、２４ｄ−１、２４ｅ−１を配設している。他の構成については、前述の第１実施形態の吸殻消火装置と同様である。固定裁断翼の数や、回転裁断翼の数は、これに限らず、どのような枚数にしても良い。また、固定裁断翼の数や、回転裁断翼の段数についても、どのような段数にしても良い。
【００３７】
第４実施形態．
図１１〜図１３は、本発明の第４実施形態の吸殻消火装置２０を示すものである。図１１は本発明の第４実施形態の吸殻消火装置の断面図であり、図１２は、本発明の第４実施形態の吸殻消火装置の回転部の斜視図であり、図１３は、本発明の第４実施形態の吸殻消火装置の固定部の部分斜視図である。この第４の実施形態では、回転裁断翼の外端下方に回転リングを設けると共に、この回転リング下方に、筐体２６の円周方向に、裁断片受リブ２８ａ及び２８ｂを設けている。回転リング３４は回転裁断翼の外端下方に溶接等で取り付けられる。裁断片受リブ２８ａ及び２８ｂはリング状に形成され、中心方向に所定の幅を有している。この幅が狭すぎると裁断片の滞留時間が短くなり消火率が悪くなり、この幅が広すぎると裁断片の滞留時間が長くなり裁断片の処理効率が悪くなる。この幅は、裁断片が燃え尽きる最適値に選ばれる。
【００３８】
前述の第１実施形態の吸殻消火装置２０では、裁断片を裁断後に直接吸殻消火装置２０の底部から排出するようにしている。一方、この第４実施形態の吸殻消火装置２０では、裁断されたがまだ火が消えていない裁断片を、回転リング３４および裁断片受リブ２８で受けて、裁断片が燃え尽きる時間保留してから、吸殻消火装置２０の底部３５から排出している。これにより、火が消えていない吸殻８をより確実に消火できる。他の構成については、前述の第１実施形態と同様である。
【００３９】
本発明は、上述した実施形態に限定されるものではなく、本発明の要旨を逸脱しない範囲内で様々な変形や応用が可能である。
【産業上の利用可能性】
【００４０】
本発明は、パチンコ店等の灰皿の吸殻を消火処理する吸殻回収装置、空港、駅、企業や公共の場所に設置された吸殻回収装置、および喫煙ルーム等に設けられた吸殻回収装置としても使用可能である。
に利用可能である。
【図面の簡単な説明】
【００４１】
【図１】本発明の第１実施形態の吸殻消火装置を備えた遊技施設の概要説明に用いる正面図である。
【図２】本発明の第１実施形態の吸殻消火装置を備えた吸殻回収装置の正面図である。
【図３】本発明の第１実施形態の吸殻消火装置の斜視図である。
【図４】本発明の第１実施形態の吸殻消火装置に用いるモータの斜視図である。
【図５】本発明の第１実施形態の吸殻消火装置の平面図である。
【図６】本発明の第１実施形態の吸殻消火装置の断面図である。
【図７】本発明の第１実施形態の吸殻消火装置の回転部の詳細斜視図である。
【図８】本発明の第１実施形態の吸殻消火装置の固定部の部分詳細斜視図である。
【図９】本発明の第２実施形態の吸殻消火装置の断面図である。
【図１０】本発明の第３実施形態の吸殻消火装置の平面図である。
【図１１】本発明の第４実施形態の吸殻消火装置の断面図である。
【図１２】本発明の第４実施形態の吸殻消火装置の回転部の斜視図である。
【図１３】本発明の第４実施形態の吸殻消火装置の固定部の部分斜視図である。
【図１４】本発明の実施形態の吸殻消火装置の角柱の筐体を示す平面図である。
【図１５】従来の吸殻回収装置を備えた遊技施設の概要説明に用いる正面図である。
【符号の説明】
【００４２】
１  遊技施設
２  パチンコ台
３  トレイ
４  ハンドル
５  灰皿
７  搬送ベルト
８  吸殻
９  吸殻片
１０  吸殻回収部
１２  プーリ
１４  プーリ
１５  回収箱
１６  ベルト
２０  吸殻消火装置
２１  吸殻投入口
２２  筐体の上面
２３  回転軸
２４  固定裁断翼
２５  回転裁断翼
２６  筐体
２８ａ，２８ｂ  裁断片受リブ
２９  凹凸
３０  モータ
３１  回転軸
３４  回転リング
３５  筐体底面
【図１】
2008132158.tif 000003
【図２】
2008132158.tif 000004
【図３】
2008132158.tif 000005
【図４】
2008132158.tif 000006
【図５】
2008132158.tif 000007
【図６】
2008132158.tif 000008
【図７】
2008132158.tif 000009
【図８】
2008132158.tif 000010
【図９】
2008132158.tif 000011
【図１０】
2008132158.tif 000012
【図１１】
2008132158.tif 000013
【図１２】
2008132158.tif 000014
【図１３】
2008132158.tif 000015
【図１４】
2008132158.tif 000016
【図１５】
2008132158.tif 000017